【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】  ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびチャネルエッチ型ＴＦＴが配設され、前記ゲート配線、ソース配線、画素電極およびチャネルエッチ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示素子であって、前記変換部が前記シール材が形成される領域に前記シール材に覆われて配設されてなる液晶表示素子。
【請求項２】  前記第３の導電体が、前記第１の導電体および前記第２の導電体と絶縁膜を介して別層にかつ最上層に形成される請求項１記載の液晶表示素子。
【請求項３】  前記シール材が熱硬化型樹脂および光硬化型樹脂のうちのいずれかである請求項２記載の液晶表示素子。
【請求項４】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびチャネルエッチ型ＴＦＴが配設され、前記ゲート配線、ソース配線、画素電極およびチャネルエッチ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示素子であって、前記変換部上にも前記配向膜が形成され前記変換部が前記配向膜に覆われて配設されてなる液晶表示素子。
【請求項５】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびチャネルエッチ型ＴＦＴが配設され、前記ゲート配線、ソース配線、画素電極およびチャネルエッチ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示素子であって、前記変換部が前記シール材が形成される領域の外側の前記ＴＦＴアレイ基板上に配設されてなる液晶表示素子。
【請求項６】  請求項１記載の液晶表示素子と、前記液晶を駆動する駆動回路と、バックライトとを少なくとも有する液晶表示装置。
【請求項７】  請求項４記載の液晶表示素子と、前記液晶を駆動する駆動回路と、バックライトとを少なくとも有する液晶表示装置。
【請求項８】  請求項５記載の液晶表示素子と、前記液晶を駆動する駆動回路と、バックライトとを少なくとも有する液晶表示装置。
【請求項９】  電極基板、該電極基板に対向する対向基板ならびに前記電極基板と該対向基板とに挟持されてなる液晶からなり、前記電極基板および対向基板の周囲がシール材で接合されてなる液晶表示素子と、前記液晶を駆動する駆動回路と、バックライトとを少なくとも有し、前記電極基板上に少なくとも第１の電極および第２の電極からなる一対の電極が一定距離を隔てて配設され、前記第１の電極および第２の電極間に形成された電界により前記液晶が駆動され、前記第１の電極および第２の電極が配設されてなる表示領域を覆って配向膜が設けられ、前記表示領域の周辺に第１の端子および第２の端子が設けられ、前記第１の電極の材料として用いられる第１の導電体および第２の電極の材料として用いられる第２の導電体のうちより耐腐食性の優れた方の材料によって前記第１の端子への延長線が形成され前記第１の端子と前記第１の電極とが接続されかつ前記第２の端子への延長線が形成され前記第２の端子と前記第２の電極とが接続されるとき前記第１の導電体と前記第２の導電体との接続部において前記第１の導電体と前記第２の導電体とが第３の導電体を介して接続されてなる変換部が設けられてなる平行電界型液晶表示装置であって、前記変換部が前記シール材に覆われて配設されてなる平行電界型液晶表示装置。
【請求項１０】  前記一対の電極が同層の導体からなる請求項９記載の平行電界型液晶表示装置。
【請求項１１】  電極基板、該電極基板に対向する対向基板ならびに前記電極基板と該対向基板とに挟持されてなる液晶からなり、前記電極基板および対向基板の周囲がシール材で接合されてなる液晶表示素子と、前記液晶を駆動する駆動回路と、バックライトとを少なくとも有し、前記電極基板上に少なくとも第１の電極および第２の電極からなる一対の電極が一定距離を隔てて配設され、前記第１の電極および第２の電極間に形成された電界により前記液晶が駆動され、前記第１の電極および第２の電極が配設されてなる表示領域を覆って配向膜が設けられ、前記表示領域の周辺に第１の端子および第２の端子が設けられ、前記第１の電極の材料として用いられる第１の導電体および第２の電極の材料として用いられる第２の導電体のうちより耐腐食性の優れた方の材料によって前記第１の端子への延長線が形成され前記第１の端子と前記第１の電極とが接続されかつ前記第２の端子への延長線が形成され前記第２の端子と前記第２の電極とが接続されるとき前記第１の導電体と前記第２の導電体との接続部において前記第１の導電体と前記第２の導電体とが第３の導電体を介して接続されてなる変換部が設けられてなる平行電界型液晶表示装置であって、前記変換部上にも前記配向膜が形成され前記変換部が前記配向膜に覆われて配設されてなる平行電界型液晶表示装置。
【請求項１２】  電極基板、該電極基板に対向する対向基板ならびに前記電極基板と該対向基板とに挟持されてなる液晶からなり、前記電極基板および対向基板の周囲がシール材で接合されてなる液晶表示素子と、前記液晶を駆動する駆動回路と、バックライトとを少なくとも有し、前記電極基板上に少なくとも第１の電極および第２の電極からなる一対の電極が一定距離を隔てて配設され前記第１の電極および第２の電極間に形成された電界により前記液晶が駆動され、前記第１の電極および第２の電極が配設されてなる表示領域を覆って配向膜が設けられ、前記表示領域の周辺に第１の端子および第２の端子が設けられ、前記第１の電極の材料として用いられる第１の導電体および第２の電極の材料として用いられる第２の導電体のうちより耐腐食性の優れた方の材料によって前記第１の端子への延長線が形成され前記第１の端子と前記第１の電極とが接続されかつ前記第２の端子への延長線が形成され前記第２の端子と前記第２の電極とが接続されるとき前記第１の導電体と前記第２の導電体との接続部において前記第１の導電体と前記第２の導電体とが第３の導電体を介して接続されてなる変換部が設けられてなる平行電界型液晶表示装置であって、前記変換部が前記シール材が形成される領域の外側の前記ＴＦＴアレイ基板上に配設されてなる平行電界型液晶表示装置。
【請求項１３】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路とを少なくとも有し、前記ＴＦＴアレイ基板上に配設され互いに交差するゲート配線およびソース配線によって画された各画素に金属膜からなる画素電極およびＴＦＴが配設され、前記ゲート配線、ソース配線、画素電極およびＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる反射型液晶表示装置であって、前記変換部が前記シール材が形成される領域に前記シール材に覆われて配設されてなる反射型液晶表示装置。
【請求項１４】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路とを少なくとも有し、前記ＴＦＴアレイ基板上に配設され互いに交差するゲート配線およびソース配線によって画された各画素に金属膜からなる画素電極およびＴＦＴが配設され、前記ゲート配線、ソース配線、画素電極およびＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる反射型液晶表示装置であって、前記変換部上にも前記配向膜が形成され前記変換部が前記配向膜に覆われて配設されてなる反射型液晶表示装置。
【請求項１５】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路とを少なくとも有し、前記ＴＦＴアレイ基板上に配設され互いに交差するゲート配線およびソース配線によって画された各画素に金属膜からなる画素電極およびＴＦＴが配設され、前記ゲート配線、ソース配線、画素電極およびＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる反射型液晶表示装置であって、前記変換部が前記シール材が形成される領域の外側の前記ＴＦＴアレイ基板上に配設されてなる反射型液晶表示装置。
【請求項１６】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極およびエッチングストッパ型ＴＦＴが配設され、前記ゲート配線、ソース配線、画素電極およびエッチングストッパ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部が前記シール材が形成される領域に前記シール材に覆われて配設されてなる液晶表示装置。
【請求項１７】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極およびエッチングストッパ型ＴＦＴが配設され、前記ゲート配線、ソース配線、画素電極およびエッチングストッパ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部上にも前記配向膜が形成され前記変換部が前記配向膜に覆われて配設されてなる液晶表示装置。
【請求項１８】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極およびエッチングストッパ型ＴＦＴが配設され、前記ゲート配線、ソース配線、画素電極およびエッチングストッパ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部が前記シール材が形成される領域の外側の前記ＴＦＴアレイ基板上に配設されてなる液晶表示装置。
【請求項１９】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極および正スタガ型ＴＦＴが配設され、前記ゲート配線、ソース配線、画素電極および正スタガ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部が前記シール材が形成される領域に前記シール材に覆われて配設されてなる液晶表示装置。
【請求項２０】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極および正スタガ型ＴＦＴが配設され、前記ゲート配線、ソース配線、画素電極および正スタガ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部上にも前記配向膜が形成され前記変換部が前記配向膜に覆われて配設されてなる液晶表示装置。
【請求項２１】  ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極および正スタガ型ＴＦＴが配設され、前記ゲート配線、ソース配線、画素電極および正スタガ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部が前記シール材が形成される領域の外側の前記ＴＦＴアレイ基板上に配設されてなる液晶表示装置。
【請求項２２】  ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部が前記シール材が形成される領域に前記シール材に覆われて配設されてなる液晶表示素子。
【請求項２３】  ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部上にも樹脂膜が形成され前記変換部が前記樹脂膜に覆われて配設されてなる液晶表示素子。
【請求項２４】  樹脂膜が配向膜である請求項２３記載の液晶表示素子。
【請求項２５】  ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部が前記シール材が形成される領域の外側の前記ＴＦＴアレイ基板上に配設されてなる液晶表示素子。
【請求項２６】  請求項２２から請求項２５のいずれかに記載の液晶表示素子と、前記液晶表示素子を駆動する駆動回路と、バックライトとを少なくとも有する液晶表示装置。
【手続補正２】
【補正対象書類名】明細書
【補正対象項目名】００３６
【補正方法】変更
【補正の内容】
【００３６】
本発明の請求項２１にかかわる液晶表示装置は、ＴＦＴアレイ基板、該ＴＦＴアレイ基板に対向する対向基板ならびに前記ＴＦＴアレイ基板と該対向基板とに挟持されてなる液晶からなり、前記ＴＦＴアレイ基板および対向基板の周囲がシール材で接合されてなる液晶表示素子と、前記液晶を駆動する駆動回路と、バックライトとを少なくとも有し、前記ＴＦＴアレイ基板上に配設され互いに交差するゲート配線およびソース配線によって画された各画素に画素電極および正スタガ型ＴＦＴが配設され、前記ゲート配線、ソース配線、画素電極および正スタガ型ＴＦＴがマトリックス状に配設されてなる表示領域を覆って配向膜が設けられ、前記表示領域の周辺にゲート端子およびソース端子が設けられ、前記ゲート配線の材料として用いられる第１の導電体および前記ソース配線の材料として用いられる第２の導電体のうちより耐腐食性の優れた方の材料によって前記ゲート端子への延長線が形成され前記ゲート端子と前記ゲート配線とが接続されかつ前記ソース端子への延長線が形成され前記ソース端子と前記ソース配線とが接続されるとき前記第１の導電体と前記第２の導電体との接続部において前記第１の導電体と前記第２の導電体とが第３の導電体を介して接続されてなる変換部が設けられてなる液晶表示装置であって、前記変換部が前記シール材が形成される領域の外側の前記ＴＦＴアレイ基板上に配設されている。
本発明の請求項２２にかかわる液晶表示装置は、ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部が前記シール材が形成される領域に前記シール材に覆われて配設されている。
本発明の請求項２３にかかわる液晶表示装置は、ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部上にも樹脂膜が形成され前記変換部が前記樹脂膜に覆われて配設されている。
本発明の請求項２４にかかわる液晶表示装置は、樹脂膜が配向膜である。
本発明の請求項２５にかかわる液晶表示装置は、ＴＦＴアレイ基板、該ＴＦＴアレイ基板に対向する対向基板ならびに前記ＴＦＴアレイ基板と対向基板とに挟持されてなる液晶からなり、前記ＴＦＴアレイ基板および対向基板の周囲がシール材で接合されており、前記ＴＦＴアレイ基板上に配設され互いに交差するゲート配線およびソース配線によって画された各画素に画素電極およびＴＦＴが配設され、前記ゲート配線、ソース配線、画素電極およびＴＦＴがマトリックス状に配設されてなる表示領域が設けられ、前記表示領域の周辺にゲート端子およびソース端子が設けられ、前記ゲート配線の材料として用いられる第１の導電体および前記ソース配線の材料として用いられる第２の導電体のいずれか一方によって、前記ゲート端子および前記ソース端子への延長線が形成され、前記ゲート端子と前記ゲート配線、および前記ソース端子と前記ソース配線とが接続されるとき、前記第１の導電体と前記第２の導電体との接続部において、前記第１の導電体と前記第２の導電体とが第３の導電体を介して接続されてなる変換部が設けられてなる液晶表示素子であって、前記変換部が前記シール材が形成される領域の外側の前記ＴＦＴアレイ基板上に配設されている。
本発明の請求項２６にかかわる液晶表示装置は、請求項２２から請求項２５のいずれかに記載の液晶表示素子と、前記液晶表示素子を駆動する駆動回路と、バックライトとを少なくとも有する。